(57)【要約】【課題】ペダルの軸とサドル又はハンドルとの距離及び、角度を変えることができる。【解決手段】練習用の自転車は、前フレーム１１と後フレーム１２と上フレーム１３と下フレーム１４aと斜めフレーム１５とを備えたほぼ平行四辺形であるフレームを有している。また上フレーム１３と下フレーム１４aと斜めフレーム１５とはそれぞれ長さ方向に伸縮させることができる。さらに上フレーム１３と後フレーム１２と斜めフレーム１５と下フレーム１４aと斜めフレーム１５との、それぞれの交点はピンジョイントであるため、それぞれのフレームは連動せず個別に調節できる。【選択図】図１
0003131015.tif 000002
【実用新案登録請求の範囲】
【請求項１】
ほぼ平行四辺形からなるフレームを備え、
上記フレームは、
ハンドルを支える前フレームと、
サドルを支える後フレームと、
上記前フレームと、後フレームとの上端部にそれぞれ回転自在に取り付けられた、長さ方向に伸縮自在の上フレームと、
上記前フレームと、後フレームとの下端部にそれぞれ回転自在に取り付けられた下フレームと、
上記上フレームと後フレームとの回転自在の交点、及び上記下フレームと、前フレームとの回転自在の交点に、それぞれ回転自在に取り付けられた長さ方向に伸縮自在の斜めフレームとを有している
ことを特徴とする練習用の自転車。
【請求項２】
請求項１において、上記斜めフレームは、上記２の交点に替えて、上記前フレーム、後フレーム、上フレーム、及び下フレームの４つの交点のいずれかの１つと、この交点と対面するフレームとに、それぞれ回転自在に取り付けられたことを特徴とする練習用の自転車。
【請求項３】
請求項１において、上記斜めフレームは、上記２の交点に替えて、上記前フレーム、後フレーム、上フレーム、及び下フレームのいずれかの１つと、このフレーム以外のフレームとにそれぞれ回転自在に取り付けられたことを特徴とする練習用の自転車。
【請求項４】
請求項１〜３のいずれかの１において、上記下フレームは、長さ方向に伸縮自在であることを特徴とする練習用の自転車。
【考案の詳細な説明】
【技術分野】
【０００１】
本考案は、ベンチタイプの自転車に関し、さらに詳しくは自転車のペダルの回転軸に対して、サドルとハンドルとの位置を、それぞれ独立に前後方向に調節できるフレームを備える練習用の自転車に関する。
【背景技術】
【０００２】
従来から例えばスポーツセンタ、リハビリ施設、あるいは競技用自転車の訓練施設では、車体を支持台等に固定して、各種の計測機材を取り付けたベンチタイプの練習用の自転車が、多数使用されている。この練習用の自転車のハンドルやサドルの高さは、使用する人の体型や運転姿勢等に応じて、簡単に調節できるものが多い。しかるにハンドルやサドルの高さの調節だけでは、使用する人の体型や運転姿勢等に、必ずしも十分に対応することは困難であった。そのため、練習用の自転車に乗り難くなったり、疲労し易くなったりするという問題があった。
【０００３】
ところで通常使用する自転車について、ハンドルやサドルの高さの調節だけでなく、さらに加えて、サドルとハンドルとを、互に連動しつつ前後方向に調節できる自転車が提案されている（例えば特許文献１参照。）。
【特許文献１】特開２００５−１６２１７９号公報（１〜７頁、図１）
【考案の開示】
【考案が解決しようとする課題】
【０００４】
しかし、上述した自転車では、サドルとハンドルとの距離は一定であるため、例えば身長の差や、上半身の姿勢の相違等に対して、サドルあるいはハンドルを、より最適な位置に調整することが困難であった。また上述した自転車は、平行四辺形のフレームを使用しているが、斜めの筋交部材がないため、過大な力が掛かると、前後方向に倒れてしまう恐れもある。
【０００５】
そこで、本考案の目的は、自転車のペダルの回転軸に対して、サドルとハンドルとの位置を、それぞれ独立して、前後方向に調節でき、フレームの剛性の高い練習用の自転車を提案することにある。
【課題を解決するための手段】
【０００６】
すなわち本考案による練習用の自転車の特徴は、ほぼ平行四辺形からなるフレームを備え、上記フレームは、ハンドルを支える前フレームと、サドルを支える後フレームと、上記前フレームと、後フレームとの上端部にそれぞれ回転自在に取り付けられた、長さ方向に伸縮自在の上フレームを有している。さらに上記前フレームと、後フレームとの下端部にそれぞれ回転自在に取り付けられた下フレームと、上記上フレームと後フレームとの回転自在の交点、及び上記下フレームと、前フレームとの回転自在の交点に、それぞれ回転自在に取り付けられた長さ方向に伸縮自在の斜めフレームとを有していることにある。
【０００７】
上記斜めフレームは、上記前フレーム、後フレーム、上フレーム、及び下フレームの交点のうちの１つと、この交点と対面するフレームとに、取り付けても良い。さらに上記斜めフレームは、上記前フレーム、後フレーム、上フレーム、及び下フレームのうちの１つと、このフレーム以外のフレームとに取り付けても良い。また下フレームは、長さ方向に伸縮自在であることが望ましい。
【考案の効果】
【０００８】
練習用の自転車のペダルの回転軸に対して、サドルとハンドルとの位置を、それぞれ独立して前後方向に調節できるので、サドルとハンドルとの間隔、及びサドルとペダルの回転軸との水平間隔を自在に変更できる。このため練習用の自転車を使用する場合に、より使用者の体型に合わせ易すく、かつより最適な運転姿勢をとることができる。したがって練習用の自転車に乗り易くなると共に、疲労し難くなる。
【０００９】
またさまざまな運転姿勢に合せることが可能なため、身体が不自由な者や年配者も、日常生活やフィットネスやリハビリ等において、練習用の自転車を使用し易くなる。さらに自転車の競技者が、最大限に力を発揮できる運転姿勢を見出して、実際に使用する競技用自転車の製作に反映させることが可能となる。
【考案を実施するための最良の形態】
【００１０】
図１〜図５を参照しつつ、本考案による練習用の自転車について説明する。さて図１は、本考案による練習用の自転車１は、ベンチタイプのものであって、その後輪に、動力計４を設置している。すなわち練習用の自転車１は、前フレーム１１、後フレーム１２、上フレーム１３、及び互いに平行な２本の下フレーム１４a、１４aによって囲まれたほぼ平行四辺形のフレームを有している。前フレーム１１の上端には、軸方向にスライドさせ高低を調節できるハンドル１８が設けられている。なお、図示はしていないが、練習用の自転車１の正面から向かって左側のハンドル１８には、ペダル１９に備えられた２速のギアに対応する変則切替装置が設置されている。一方、右側のハンドル１８には、後輪２１に備えられた１０速のギアに対応する変則切替装置が設置されている。
【００１１】
さらに、前フレーム１１の上端部には平板１１aが溶接されており、またこの前フレームの下端部には、練習用の自転車１の前から見て、左右方向に直交する軸１１bが設けられている。上フレーム１３は、直径の大きい後側部材１３ａと、この後側部材内にスライド自在に挿入される直径の小さい前側部材１３ｂとから構成され、任意のスライド位置において容易に固定できる固定具１３ｃを有している。固定具１３ｃとしては、例えば直径の大きい後側部材１３ａにネジ穴を設け、このネジ穴に螺入したビスの先端で、直径の小さい前側部材１３ｂの外周を押圧するものや、この直径の大きい後側部材に偏心カムを取り付けて、レバーによって回転させ、この偏心カムの外周を、この直径の小さい前側部材の外周に押付けるもの等を使用する。
【００１２】
また、上フレーム１３の後側部材１３ａの後端部と、後フレーム１２の上端部に溶接した平板１２aとは、ピンジョイントで回転自在に連結してある。さらに、後フレーム１２の上方側には、この後フレームより直径の小さいサドル支持部１６を有するサドル１７がスライド自在に挿入されている。一方、上フレーム１３の前側部材１３ｂの前端部は、前フレーム１１の上端部に溶接した平板１１aに、ピンジョイントされており回転自在である。
【００１３】
練習用の自転車１の下フレーム１４ａ、１４ａの両端部は、図１〜図３に示すように、床面に置いた支持台１４の上部を構成している。ここで、支持台１４は、それぞれ２本からなる下フレーム１４ａ、１４ａと、前部材１４c、１４cと、下部材１４bと、支持部材１４d、１４dと、脚部材１４h、１４hとを、相互に溶接して構成されている。図２を参照しつつ、下フレーム１４a、１４aと前フレーム１１との関係を説明する。下フレーム１４a、１４aは、スチール製の角材であって、その上端面にはそれぞれ長さ調節部１４g、１４gが溶接されている。また、この長さ調節部には、図面３の右側から順に、それぞれＬ、Ｍ、Ｓのくぼみが形成されている。このくぼみには、前フレーム１１の下端部に設けられた軸１１bが嵌合する。軸１１bはボルト状のものであって、その一端部に、ナット状のストッパ部材１１cをねじ込んで、この軸のボルトヘッドと、このストッパ部材の間に、長さ調節部１４g、１４gを外側から挟み込み、この軸がくぼみＬ等から外れるのを防いでいる。
【００１４】
図１又は図３を参照しつつ、前フレーム１１と斜めフレーム１５と支持台１４との関係を説明する。斜めフレーム１５はステンレス製の棒状部材であって、この斜めフレームの上端部には雄ネジが形成されている。そして、この雄ネジは、ジョイント部１５bに設けた雌ネジと螺合する。ジョイント部１５bは、後フレーム１２の上端部に溶接した平板１２aに、ピンジョイントで回転自在に連結されている。また、斜めフレーム１５の下端部には、この斜めフレームを、その軸回りに回転させるリング状のハンドル１５aが取付けられている。さらに、斜めフレーム１５と、２本の前部材１４c、１４cとは、それぞれピンジョイント１４f、１４fで回転自在に連結されている。
【００１５】
図４を参照しつつ、後ろフレーム１２と下フレーム１４aとペダル１９との関係を説明する。ペダル１９は、脚置部１９a、１９aと、ペダル支持部１９c、１９cと、軸部１９bとから形成されている。軸部１９bには、この軸部より直径の大きな軸支持部１９ｄが回転可能に設けられている。軸支持部１９ｄの両端部は、下フレーム１４aの外側に設けた挟持部材３、３に固定されている。なお図面４において、手前側に位置する挟持部材３と、ペダル支持部１９cとの間には、チェーンホイール２０が軸支持部１９bの外周に固着している。
【００１６】
また、後フレーム１２の下側部には、上押え部１２bが形成されている。そして、軸支持部１９ｄは、上押え部１２bと、これと対向する下押え部材１２ｄとによって挟持され、この上押え部と下押え部材との両端を、それぞれボルト１２c、１２cによって締付ける。
【００１７】
練習用の自転車１の後輪２１は、チェーンホイール２０の外周と嵌合するチェーンによって駆動される。後輪２１は、後輪支持部材１４eによって支持され、この後輪支持部材には動力計４（レーサーメイト社製の製品である「ロードジェネレータ」等）が設置されている。そして、運転者がペダルを踏み込んだときに後輪に掛かる動力を測定する。さらに、練習用の自転車１の前方には、柱５が設けてあり、この柱にはモニター６が取り付けてある。このモニターには、動力計４で測定した、出力（ｗ）、速度（ｍｐｈ）、回転数（ｒｐｍ）、及び心拍数（ｂｐｍ）の数値が表示される。
【産業上の利用可能性】
【００１８】
本考案による練習用の自転車は、自転車の各フレームを伸縮させたりすると共に、運転者の体型に合わせて一番力を発揮できる箇所を測定できるため、練習用の自転車の製造やフィットネスに関する産業に広く利用可能である。
【図面の簡単な説明】
【００１９】
【図１】練習用の自転車の側面図である。
【図２】支持台の拡大図である。
【図３】練習用の自転車の正面一部拡大図である。
【図４】後フレームとペダルとの接合の部分の拡大図である。
【図５】他の発明による自転車の側面図である。
【符号の説明】
【００２０】
１                    練習用の自転車
１１                  前フレーム
１２                  後フレーム
１３                  上フレーム
１４                  支持台
１４a                 下フレーム
１４d                 支持部材
１４g                 長さ調節部
１５                  斜めフレーム
４                    動力計
５                    柱
６                    モニター
【図１】
0003131015.tif 000003
【図２】
0003131015.tif 000004
【図３】
0003131015.tif 000005
【図４】
0003131015.tif 000006
【図５】
0003131015.tif 000007